(57)【要約】【課題】  従来の施錠装置をほとんど改良することなく不正行為防止用の機構を付加または追加ができる遊技機用施錠装置を提供する。【解決手段】  前枠１２に取付けられる基枠体５と、基枠体５に作動可能に取付けられる上下の鉤部材７，８と、上下の鉤部材７，８に連結される連結杆６とを有し、基枠体５に取付けられたシリンダ錠４に差込んだ鍵を回すことによって連結杆６が摺動し上下の鉤部材７，８が作動する遊技機用施錠装置１において、不正行為防止用の機構として外枠１１に取付けられるオス部材３と、基枠体５に取付けられるメス部材２を有する。オス部材３には、前枠１２を外枠１１に対して閉じたときにメス部材２に設けられた挿通孔２２と嵌合する軸部３１ｂが設けられている。オス部材３とメス部材２の間には、挿通孔２２と軸部３１ｂとの嵌合状態を解除可能な状態と解除不能な状態とに切替える切替え保持機構が設けられている。【選択図】        図２
2006061182.tif 000002
【特許請求の範囲】
【請求項１】
遊技機の外枠に前枠を施錠するために、前記前枠に取付けられる基枠体と、その基枠体の上下部に作動可能に取付けられる上下の鉤部材と、これら上下の鉤部材に連結されかつ前記基枠体に対して摺動可能に取付けられる連結杆とを有し、前記基枠体に取付けられたシリンダ錠に差込んだ鍵を回すことによって前記連結杆が摺動し、前記上下の鉤部材が作動する遊技機用施錠装置において、
不正行為防止用の機構として、前記外枠または前記基枠体のいずれか一方の部材に取付けられるオス部材と、いずれか他方の部材に取付けられるメス部材とを有し、前記オス部材には、前記前枠を前記外枠に対して閉じたときに前記メス部材に設けられた挿通孔と嵌合する軸部が設けられており、前記オス部材と前記メス部材の間には、前記挿通孔と前記軸部との嵌合状態を解除可能な状態と解除不能な状態とに切替える切替え保持機構が設けられていることを特徴とする遊技機用施錠装置。
【請求項２】
請求項１に記載の遊技機用施錠装置であって、
シリンダ錠の錠軸には、カムが取付けられており、前記シリンダ錠に差込んだ鍵を回すことによって前記カムが回転し前記カムが連結杆を摺動させる構成になっており、
切替え保持機構は、前記シリンダ錠に差込んだ鍵を回した時にのみ、前記カムによってメス部材の挿通孔とオス部材の軸部との嵌合状態を解除可能な状態にする構成になっていることを特徴とする遊技機用施錠装置。
【請求項３】
請求項１または２に記載の遊技機用施錠装置であって、
切替え保持機構は、メス部材の挿通孔内を軸方向にスライドするスライド部材と、そのスライド部材を挿通孔の開口部側に付勢する付勢部材とを有しており、前記スライド部材には、オス部材の軸部が差し込まれる差込部が形成されており、その差込部に対して突出する係合部材が前記スライド部材に取付けられており、前記付勢部材の付勢力に抗して前記スライド部材を挿通孔奥側にスライドさせることで、前記係合部材の前記差込部への突出量が減少可能な状態になる構成になっており、
前記差込部に差込まれた前記軸部によって前記スライド部材が挿通孔奥側にスライドし、前記係合部材の突出量が減少し、前記軸部の先端部が前記係合部材よりも挿通孔奥側に差込まれることによって、前記軸部と前記挿通孔との嵌合状態が解除不能な状態となり、
基枠体に取付けられたシリンダ錠に差し込んだ鍵を回した際には、前記付勢部材の付勢力に抗して前記スライド部材が挿通孔奥側にスライドされて、前記係合部材の突出量が減少可能な状態になり、前記軸部と前記挿通孔との嵌合状態が解除可能な状態になる構成になっていることを特徴とする遊技機用施錠装置。
【発明の詳細な説明】
【技術分野】
【０００１】
本発明は、遊技機の外枠に対して前枠を施錠する遊技機用施錠装置に関する。
【背景技術】
【０００２】
従来、種々の遊技機用施錠装置が知られており、例えば特許文献１，２に記載の施錠装置が知られている。
特許文献１，２に係る施錠装置は、前枠の裏面に取付けられる基枠体と、その基枠体に取付けられる上下の鉤部材と連結杆とを有している。上下の鉤部材は、基枠体の上部と下部のそれぞれに作動可能に取付けられており、作動することで外枠に設けられた上下の鉤受部に掛止する構成になっている。連結杆は、上下の鉤部材間に連結されており、基枠体に対して摺動する。
さらに基枠体には、シリンダ錠が取付けられており、そのシリンダ錠の錠軸には、カムが固定されている。カムは、シリンダ錠に差込んだ鍵を回すことで回動して連結杆を上下いずれか一方に摺動させる。そして連結杆が摺動されることで、鉤部材が作動し、鉤部材が外枠の鉤受部から外れる構成になっている。
【０００３】
さらに特許文献１，２に係る施錠装置には、不正行為防止用の機構も設けられていた。不正行為防止用の機構は、不正行為によって上下の鉤部材のいずれかが針金等にて作動された際においても、他方の鉤部材が連動して作動することを防止する機構になっていた。その構成は、上側あるいは下側の鉤部材が作動された際に連結杆が連動して摺動してしまうことを回避する構造を有していた。さらに不正行為防止用の機構は、不正行為によって連結杆そのものが摺動することを回避する構造をも有していた。
そして従来、不正行為防止用の機構を有していない一般的な施錠装置に対して不正行為防止用の機構を簡易に設けたいという要望があった。
【特許文献１】特開２００３−２３０７３６号公報
【特許文献２】特開２００３−２３０７３３号公報
【発明の開示】
【発明が解決しようとする課題】
【０００４】
しかしその要望に応える好適な施錠装置は、従来知られていなかった。例えば従来一般的な施錠装置に対して、特許文献１，２に係る不正行為防止用の機構を付加しようとする際には、連結杆を大きく改良する必要があった。
そこで本発明は、従来の施錠装置をほとんど改良することなく不正行為防止用の機構を付加または追加ができる遊技機用施錠装置を提供することを課題とする。
【課題を解決するための手段】
【０００５】
前記課題を解決するために本発明は、各請求項に記載の通りの構成を備える遊技機用施錠装置であることを特徴とする。
請求項１に記載の発明によると、不正行為防止用の機構として、外枠または基枠体のいずれか一方の部材に取付けられるオス部材と、いずれか他方の部材に取付けられるメス部材とを有している。そしてオス部材には、前枠を外枠に対して閉じたときにメス部材に設けられた挿通孔と嵌合する軸部が設けられており、オス部材とメス部材の間には、挿通孔と軸部との嵌合状態を解除可能な状態と解除不能な状態とに切替える切替え保持機構が設けられている。
【０００６】
したがって前枠を外枠に対して閉じることで、オス部材の軸部がメス部材の挿通孔に嵌合される。そしてその嵌合状態が切替え保持機構によって解除不能な状態にされることで、前枠が外枠に対してロックされる。かくしてロック状態は、軸部と挿通孔との嵌合状態にて保持される。そのためロック状態は、外部から差込まれた針金等にて解除される心配がない。
またオス部材とメス部材は、外枠または基枠体に取付けられる構成である。そのためオス部材とメス部材は、鉤部材や連結杆等を改良することなく外枠または基枠体に取付けられ得る。そのため本発明に係る施錠装置は、従来一般的な施錠装置に対してオス部材とメス部材とを具備する不正行為防止用の機構を容易に付加または追加することができる構成になっている。
【０００７】
請求項２に記載の発明によると、シリンダ錠の錠軸には、カムが取付けられており、シリンダ錠に差込んだ鍵を回すことによってカムが回転しカムが連結杆を摺動させる構成になっている。また切替え保持機構は、シリンダ錠に差込んだ鍵を回した時にのみ、カムによってメス部材の挿通孔とオス部材の軸部との嵌合状態を解除可能な状態にする構成になっている。
したがってシリンダ錠に差込んだ鍵を回すことによって、オス部材とメス部材との嵌合状態が解除される。そしてこれと同時に、カムによって連結杆が摺動され、上下の鉤部材が作動される。そしてこれら二つの動作がどちらもカムを介してなされ、カムにて部品の共通化が図られている。また鍵を回す一つの動作によって、これら二つの機能が同時になされるために、操作性に優れた構成にもなっている。
【０００８】
請求項３に記載の発明によると、切替え保持機構は、メス部材の挿通孔内を軸方向にスライドするスライド部材と、そのスライド部材を挿通孔の開口部側に付勢する付勢部材とを有している。スライド部材には、オス部材の軸部が差し込まれる差込部が形成されており、その差込部に対して突出する係合部材がスライド部材に取付けられている。そして付勢部材の付勢力に抗してスライド部材を挿通孔奥側にスライドさせることで、係合部材の差込部への突出量が減少可能な状態になる構成になっている。
そして差込部に差込まれた軸部によってスライド部材が挿通孔奥側にスライドし、係合部材の突出量が減少し、軸部の先端部が係合部材よりも挿通孔奥側に差込まれることによって、軸部と挿通孔との嵌合状態が解除不能な状態となる。
そして基枠体に取付けられたシリンダ錠に差し込んだ鍵を回転させた際には、付勢部材の付勢力に抗してスライド部材が挿通孔奥側にスライドされて、係合部材の突出量が減少可能な状態になり、軸部と挿通孔との嵌合状態が解除可能な状態になる構成になっている。
【０００９】
したがって軸部と挿通孔とを嵌合させていない場合には、スライド部材が付勢部材によって挿通孔の開口部側に位置する。そして係合部材は、スライド部材の差込部に対して突出した状態になる。この状態において差込部にオス部材の軸部を差込むと、軸部と係合部材が当接し、係合部材を介してスライド部材が挿通孔内を挿通孔奥側にスライドする。そして係合部材の差込部への突出量が減少し、軸部の先端部が係合部材を越えて挿通孔奥側に差込まれる。
【００１０】
その状態にて軸部と挿通孔とを離間させようとした際には、係合部材が軸部に引きずられて挿通孔開口部側に移動する。そして係合部材とともにスライド部材が挿通孔開口部側に移動し、係合部材の差込部への突出量が増加する。あるいは係合部材の差込部への突出量が減少できない状態になる。これにより軸部と挿通孔とが離間できなくなり、軸部と挿通孔との嵌合状態が解除不能な状態とされる。
【００１１】
シリンダ錠に差し込んだ鍵を回転させた際には、スライド部材が付勢部材の付勢力に抗して挿通孔奥側にスライドされる。これにより係合部材の突出量が減少可能な状態になる。かくして軸部と挿通孔は、係合部材に邪魔されることなく離間可能になり、嵌合状態が解除可能な状態になる。
【発明の効果】
【００１２】
本発明に係る施錠装置によれば、従来の施錠装置をほとんど改良することなく不正行為防止用の機構を付加または追加ができる遊技機用施錠装置を提供することができる。
【発明を実施するための最良の形態】
【００１３】
本発明の実施の形態を図１〜１１にしたがって説明する。
パチンコ機（遊技機）１０は、図１に示すように遊技島に固定される外枠１１と、外枠１１に対して回動可能に取付けられる前枠１２と、前枠１２を外枠１１に対して施錠する施錠装置１とを有している。
外枠１１は、長方枠状であって上下左右の枠部材を有している。左右の枠部材の一方の枠部材の上部と下部には、ヒンジ１３，１４が取付けられている。
前枠１２は、板状であって中央部に開口窓１２ａを有している。前枠１２の左右一端寄りの上端部と下端部は、ヒンジ１３，１４を介して外枠１１に取付けられている。したがって前枠１２は、ヒンジ１３，１４を回動中心に外枠１１に対して回動する。
【００１４】
施錠装置１は、図２に示すように前枠１２を外枠１１に対して施錠する装置であって、基枠体５、上下の鉤部材７，８、連結杆６、シリンダ錠４を有している。また施錠装置１は、不正行為防止用の機構としてオス部材３とメス部材２をも有している。
基枠体５は、断面Ｌ字状であって取付板部５ａと支持板部５ｂとを有している。取付板部５ａは、前枠１２の裏面に取付けられ、支持板部５ｂは、取付板部５ａに対して立設する。
【００１５】
上下の鉤部材７，８は、図２に示すように支持板部５ｂの上部と下部のそれぞれに傾動可能に取付けられている。上下の鉤部材７，８は、それぞれ鉤状であって、外枠１１の上部と下部に設けられた鉤受部３４，３５に対して掛止する構成になっている。
連結杆６は、図３に示すように支持板部５ｂに摺動可能に取付けられており、支持板部５ｂの内側面（左側面）に沿って上下方向に摺動する。連結杆６の上下部には、それぞれ上下の鉤部材７，８が傾動可能に連結されている。したがって連結杆６を上下動させることで、上下の鉤部材７，８を傾動させることができる。
【００１６】
連結杆６と取付板部５ａの間には、図３に示すように付勢部材９が取付けられている。付勢部材９は、コイルスプリングなどであって、連結杆６を基枠体５に対して常に下方に向けて付勢している。そして連結杆６を下方に付勢することで、上下の鉤部材７，８を常に鉤受部３４，３５に掛止する方向（例えば上方向）に付勢している。したがって上下の鉤部材７，８を付勢部材９の付勢力に抗して傾動させることで、鉤部材７，８を鉤受部３４，３５から外すことができる。
【００１７】
シリンダ錠４は、図２に示すように取付板部５ａの表面側に取付けられている。そしてシリンダ錠４は、前枠１２に設けられた貫通穴に挿通された状態にて基枠体５に保持されている。
シリンダ錠４は、図６に示すように筒体４０と、筒体４０の軸中心に挿通された錠軸４２を有している。筒体４０と錠軸４２の間には、筒体４０と錠軸４２に渡って鍵穴４３が形成されている。
錠軸４２は、鍵穴４３に鍵４５を差込み、鍵４５を回転させた時にのみ筒体４０に対して軸中心に回転する。錠軸４２は、図７に示すように筒体４０を貫通しており、貫通した錠軸４２の先端にカム４１がネジ４４を介して固定されている。
【００１８】
カム４１は、図７に示すように係合爪４１ｂを有している。
係合爪４１ｂは、図８に示すように連結杆６に形成された貫通溝６ａに差込まれ、貫通溝６ａを構成する上端壁部６ｂに当接し得る構成になっている。連結杆６は、図３に示す付勢部材９によって常に下方に付勢されている。そのためカム４１は、連結杆６を介して付勢部材９によって図８の状態に向けて付勢されている。付勢部材９に抗して係合爪４１ｂを上方に移動させる方向にカム４１を回動させた際には、係合爪４１ｂが連結杆６を上方に摺動させる。なお、図８の状態において係合爪４１ｂを下方に移動させる方向にカム４１を回動させた際には、係合爪４１ｂが貫通溝６ａ内を空回りする構成になっている。
【００１９】
オス部材３は、図２に示すように外枠１１に取付けられており、図４,５に示すように取付部材３０と軸部材３１を有している。
取付部材３０は、金属板を曲げ加工した構成になっており、ネジ３３によって外枠１１の左右一方の枠部材に取付けられる（図２参照）。詳しくは、ヒンジ１３，１４が取付けられていない左右一方の枠部材における縦方向略中央位置に取付けられる。
軸部材３１は、ネジ３２によって取付部材３０に固定される固定部３１ａと、固定部３１ａから前方に突出する軸部３１ｂとを一体に備えている。
【００２０】
メス部材２は、図４に示すように取付部材２０とガイド部材２１とを有している。そして取付部材２０とガイド部材２１の間に挿通孔２２を有している。挿通孔２２は、オス部材３の軸部３１ｂが嵌合される構成になっている。
取付部材２０は、図４,７に示すように金属板を曲げ加工した構成になっており、ネジ２６によってシリンダ錠４の筒体４０と一体とされる。したがって取付部材２０は、図２に示すようにシリンダ錠４を介して基枠体５に取付けられている。そして基枠体５を介して前枠１２の左右一端寄りに取付けられる。詳しくは、ヒンジ１３，１４が取付けられていない前枠１２の左右一端寄りに取付けられる。
【００２１】
ガイド部材２１は、図７に示すように取付部材２０に固定されることで取付部材２０との間に挿通孔２２を形成する。そしてガイド部材２１と取付部材２０との間には、切替え保持機構（２１，２３，２４，２５）が設けられている。
切替え保持機構は、挿通孔２２と軸部３１ｂとの嵌合状態を解除可能な状態と解除不能な状態とに切替える構成になっており、ガイド部材２１、スライド部材２３、係合部材２４および付勢部材２５とを有している。
【００２２】
スライド部材２３は、挿通孔２２内にて軸方向にスライドする本体部２３ａと、本体部２３ａからシリンダ錠４側に延出する脚部２３ｂを有している。
本体部２３ａは、断面コ字状であって底壁２３ａ１と一対の向かい合う立設壁２３ａ２，２３ａ３とを有しており、立設壁２３ａ２，２３ａ３の間に差込部２３ｃを有している。差込部２３ｃには、図９に示すようにオス部材３の軸部３１ｂが差込まれる。
【００２３】
立設壁２３ａ２，２３ａ３には、図７に示すように貫通孔である取付孔２３ａ４，２３ａ５が形成されている。取付孔２３ａ４，２３ａ５は、図８に示すようにテーパを有しており、外側面から差込部２３ｃに向けて徐々に開口幅が小さくなっている。そして取付孔２３ａ４，２３ａ５に係合部材２４が配設されている。
係合部材２４は、円柱状であって、取付孔２３ａ４，２３ａ５のテーパによって差込部２３ｃ側に抜け落ちることが防止されている。そして係合部材２４の一部が差込部２３ｃに突出し得る構成になっている。
【００２４】
挿通孔２２は、図８に示すように開口部２２ａとテーパ孔部２２ｃと奥側開口部２２ｂを有している。そして挿通孔２２には、スライド部材２３の本体部２３ａと付勢部材２５が内設されている。
開口部２２ａは、スライド部材２３の本体部２３ａが開口部２２ａから先方へ（図８左方向に）抜けることを防止するために、スライド部材２３の本体部２３ａの径よりも径が小さい構成になっている。
【００２５】
奥側開口部２２ｂは、付勢部材２５が奥側開口部２２ｂから挿通孔奥側へ（図８右方向に）抜けることを防止する構成になっている。
テーパ孔部２２ｃは、開口部２２ａよりも径が大きく、開口部２２ａ側から奥側開口部２２ｂに向けて徐々に径が大きくなっている。そして奥側開口部２２ｂ寄りにて奥側開口部２２ｂよりも径が大きくなっている。
【００２６】
したがって挿通孔２２内に設けられたスライド部材２３は、テーパ孔部２２ｃ内を軸方向にスライドする。そしてスライド部材２３とともに係合部材２４もテーパ孔部２２ｃ内を軸方向にスライドする。
また係合部材２４は、径方向にも移動可能になっており、径方向への移動量（図８上下方向の移動量）は、テーパ孔部２２ｃの孔壁面とスライド部材２３の取付孔２３ａ４，２３ａ５の孔壁面とによって決定されている。そのためスライド部材２３を付勢部材２５の付勢力に抗して挿通孔奥側にスライドさせた際には、係合部材２４の径方向への移動量が徐々に大きくなり、係合部材２４は、径方向外方に移動できるようになる。これにより係合部材２４の差込部２３ｃへの突出量が減少可能な状態になる。
【００２７】
付勢部材２５は、図７，８に示すように例えばコイルスプリングであって、スライド部材２３の本体部２３ａと挿通孔２２の奥側開口部２２ｂとの間に配設され、スライド部材２３を開口部２２ａに向けて付勢する。したがって挿通孔２２に軸部３１ｂを嵌合させていない場合は、スライド部材２３が付勢部材２５の付勢力によって挿通孔２２内の開口部２２ａ側に位置する。そして係合部材２４は、スライド部材２３の差込部２３ｃに対して突出する。
【００２８】
スライド部材２３の脚部２３ｂは、図７に示すように本体部２３ａからカム４１側に向けて張出しており、カム４１の側面（図面奥側の側面）に配設される。そして脚部２３ｂとカム４１の間には、解除機構（２３ｄ，４１ａ）が設けられている。
解除機構は、脚部２３ｂに設けられた凸部２３ｄと、カム４１に設けられた膨らみ部４１ａとを有している。
凸部２３ｄは、脚部２３ｂからカム４１と筒体４０の間に張出している。
膨らみ部４１ａは、カム４１の一部から筒体４０側に膨らむ構成になっている。そして膨らみ部４１ａは、図１０，１１に示すようにカム４１を回転させることで凸部２３ｄに当接し、凸部２３ｄをシリンダ錠４に向けて押す。これによってスライド部材２３の本体部２３ａが挿通孔２２に対して挿通孔奥側にスライドされる。
【００２９】
以下に、施錠装置１を施錠状態にする方法について説明する。
先ず、前枠１２を開いた状態から閉じた状態に向けて外枠１１に対して回動させる（図１参照）。これにより上下の鉤部材７，８が鉤受部３４，３５に当接し（図２参照）、鉤部材７，８の先端部に形成されたテーパ部にて鉤部材７，８が徐々に下方に傾く。そしてテーパ部が鉤受部３４，３５を越えた位置にて、鉤部材７，８が上方に傾動し、鉤受部３４，３５に掛止する。なお鉤受部３４，３５の上方への傾動は、付勢部材９の付勢力を利用する構成になっている。
【００３０】
またこれと同時に前枠１２に取付けられたメス部材２は、図９に示すように外枠１１に取付けられたオス部材３に近接する。そしてメス部材２の挿通孔２２にオス部材３の軸部３１ｂが徐々に差込まれ、続いてスライド部材２３の差込部２３ｃに軸部３１ｂが差込まれる。そして差込部２３ｃに突出している係合部材２４が軸部３１ｂに当接する。
【００３１】
さらにメス部材２を矢印Ｂ方向に移動させることで、係合部材２４を介してスライド部材２３が、付勢部材２５の付勢力に抗して挿通孔２２に対して相対的に挿通孔奥側にスライドする。これにより係合部材２４が径方向外方に移動可能になり、係合部材２４の差込部２３ｃへの突出量が減少し、軸部３１ｂの先端部が係合部材２４を径方向外方に押しながら係合部材２４を越えて挿通孔２２に対して相対的に挿通孔奥側に差込まれる。
【００３２】
この状態にて前枠１２を外枠１１に対して開放させようとすると、図９（Ｄ）に示すようにメス部材２が矢印Ｃ方向に移動しようとする。これにより係合部材２４が軸部３１ｂによって引きずられて挿通孔２２開口部２２ａ側に移動する。そして係合部材２４とともにスライド部材２３も挿通孔２２開口部２２ａ側に移動し、係合部材２４の差込部２３ｃへの突出量が増加する。あるいは係合部材２４の差込部２３ｃへの突出量が減少できない状態になる。したがって軸部３１ｂと係合部材２４とが離間できなくなり、軸部３１ｂと挿通孔２２との嵌合状態が解除不能な状態になる。
かくして前枠１２が外枠１１に対してロックされる。
【００３３】
次に施錠装置１を解錠状態にする方法について説明する。
施錠状態にある施錠装置１の鍵穴４３に鍵４５を差込み（図６参照）、図１０に示すように鍵を矢印Ｄ方向に回転させる。鍵の回転により錠軸４２とカム４１とが回転する。これにより図６参照に示すようにカム４１の係合爪４１ｂが上方に移動し、連結杆６が上方に摺動される。そして連結杆６が上方に摺動されることで、上下の鉤部材７，８が傾動し、鉤部材７，８が鉤受部３４，３５から外れる。
【００３４】
これと同時に、オス部材３とメス部材２との嵌合状態が解除される。すなわち鍵を回転させることによって、カム４１が回転し、図１１に示すようにカム４１の膨らみ部４１ａがスライド部材２３の凸部２３ｄをシリンダ錠４側に押す。これによってスライド部材２３の本体部２３ａが付勢部材２５に抗して挿通孔２２奥側にスライドする。そして係合部材２４が径方向外方に移動可能な状態になり、係合部材２４の差込部２３ｃへの突出量が減少可能な状態になる。
かくして軸部３１ｂと挿通孔２２は、係合部材２４に邪魔されることなく離間可能になり、嵌合状態が解除可能な状態になる。したがって前枠１２を外枠１１に対して開放することができるようになる。
【００３５】
以上のようにして施錠装置１が形成されている。
すなわち施錠装置１は、図２に示すように不正行為防止用の機構として、外枠１１に取付けられるオス部材３と、基枠体５に取付けられるメス部材２とを有している。そしてオス部材３とメス部材２の間には、図９〜１１に示すようにメス部材２の挿通孔２２とオス部材３の軸部３１ｂとの嵌合状態を解除可能な状態と解除不能な状態とに切替える切替え保持機構（２１，２３，２４，２５）が設けられている。
【００３６】
したがって前枠１２を外枠１１に対して閉じることで、図９に示すようにオス部材３の軸部３１ｂがメス部材２の挿通孔２２に嵌合される。そしてその嵌合状態が切替え保持機構によって解除不能な状態にされることで、前枠１２が外枠１１に対してロックされる。かくしてロック状態は、軸部３１ｂと挿通孔２２との嵌合状態にて保持される。そのためロック状態は、外部から差込まれた針金等にて解除される心配がない。
またメス部材２は、図３に示すように基枠体５に取付けられる。そしてオス部材３は、図２に示すように外枠１１に対して取付けられる。そのためオス部材３とメス部材２は、鉤部材７，８や連結杆６等を改良することなく基枠体５または外枠１１に取付けられ得る。そのため本形態に係る施錠装置は、従来の一般的な施錠装置にオス部材３とメス部材２と切替え保持機構（２１，２３，２４，２５）とを具備する不正行為防止用の機構を容易に付加または追加することができる構成になっている。
【００３７】
すなわち図１２に示す従来一般的な施錠装置は、基枠体５と鉤部材７，８と連結杆６とを有している。そして基枠体５には、シリンダ錠４が取付けられており、シリンダ錠４の錠軸にカム１４１が固定されている。しかし従来一般的な施錠装置は、不正行為防止用の機構を有していない構成になっていた。
そしてその施錠装置に対して不正行為防止用の機構を設ける際には、先ず、カム１４１を錠軸から取外し、カム１４１の代わりに図７に示すカム４１を錠軸に固定する。次に、基枠体５にメス部材２を取付け（図３参照）、外枠１１にオス部材３を取付ける（図２参照）。
したがって本形態は、従来一般的な施錠装置に対して不正行為防止用の機構を容易に追加することができる構成になっている。
【００３８】
シリンダ錠４の錠軸４２には、図７，８に示すようにカム４１が取付けられており、シリンダ錠４に差込んだ鍵を回すことによってカム４１が回転しカム４１が連結杆６を摺動させる構成になっている。また切替え保持機構（２１，２３，２４，２５）は、図１０，１１に示すようにシリンダ錠４に差込んだ鍵を回した時にのみ、カム４１によってメス部材２の挿通孔２２とオス部材３の軸部３１ｂとの嵌合状態を解除可能な状態にする構成になっている。
したがってシリンダ錠４に差込んだ鍵を回すことによって、オス部材３とメス部材２との嵌合状態が解除される。そしてこれと同時に、カム４１によって連結杆６が摺動され、上下の鉤部材７，８が傾動される。そしてこれら二つの動作がどちらもカム４１を介してなされ、カム４１にて部品の共通化が図られている。また鍵を回す一つの動作にてこれら二つの機能が同時になされるために、操作性に優れた構成にもなっている。
【００３９】
（他の実施の形態）
本発明は、上記の実施の形態に限定されず、以下の形態であってもよい。
（１）すなわち上記の実施の形態に係る施錠装置は、オス部材が外枠に取付けられており、メス部材が基枠体に取付けられていた。しかしオス部材が基枠体に取付けられ、メス部材が外枠に取付けられる形態であっても良い。
（２）上記の実施の形態に係る鉤部材は、基枠体に対して傾動可能に取付けられていた。しかし鉤部材が基枠体に対して上下にスライド可能に取り付けられる形態などであっても良い。
【図面の簡単な説明】
【００４０】
【図１】前枠を外枠に対して開放した際の遊技機の後方からの斜視図である。
【図２】外枠の一部と前枠の後方からの斜視図である。
【図３】前枠の一部の背面図である。
【図４】オス部材、メス部材およびシリンダ錠の後方からの斜視図である。
【図５】オス部材の後方からの分解斜視図である。
【図６】オス部材、メス部材およびシリンダ錠の前方からの斜視図である。
【図７】メス部材の後方からの分解斜視図と、シリンダ錠の後方からの斜視図である。
【図８】図６（Ａ）のＡ−Ａ線断面矢視図である。
【図９】施錠時のオス部材とメス部材の動作説明図である。
【図１０】解錠時のオス部材とメス部材の動作説明図である。
【図１１】解錠時のオス部材とメス部材と連結杆の動作説明図である。
【図１２】従来の施錠装置を示す前枠の一部背面図である。
【符号の説明】
【００４１】
１…施錠装置
２…メス部材
３…オス部材
４…シリンダ錠
５…基枠体
５ａ…取付板部
５ｂ…支持板部
６…連結杆
７，８…鉤部材
９…付勢部材
１０…パチンコ機（遊技機）
１１…外枠
１２…前枠
２１…ガイド部材（切替え保持機構）
２２…挿通孔
２３…スライド部材（切替え保持機構）
２４…係合部材（切替え保持機構）
２５…付勢部材（切替え保持機構）
３０…取付部材
３１…軸部材
３１ｂ…軸部
３４，３５…鉤受部
４１，１４１…カム
４１ｂ…係合爪
４２…錠軸
４５…鍵
【図１】
2006061182.tif 000003
【図２】
2006061182.tif 000004
【図３】
2006061182.tif 000005
【図４】
2006061182.tif 000006
【図５】
2006061182.tif 000007
【図６】
2006061182.tif 000008
【図７】
2006061182.tif 000009
【図８】
2006061182.tif 000010
【図９】
2006061182.tif 000011
【図１０】
2006061182.tif 000012
【図１１】
2006061182.tif 000013
【図１２】
2006061182.tif 000014